(57)【要約】      （修正有）【課題】使い勝手のよい失禁パンツを提供する。【解決手段】第１の男性用失禁パンツ１を、伸縮性のない又は伸縮性に乏しい布製のパンツ本体３を有するトランクス型ものとして構成する。パンツ本体３の内側に、第１の男性用失禁パンツ１を着用したときに、着用者の股間にあてがわれるように失禁パッド９を取り付けておく。失禁パッド９は先端部１１及び後端部１３だけをパンツ本体３の裏面（内面）にホックを介して取外し可能に取り付け、宙吊り状態でパンツ本体３内に設けておく。外出時には、交換用として失禁パッド９だけを持ち歩くことができる。【選択図】図２
0003227637.tif 000002
【実用新案登録請求の範囲】
【請求項１】
失禁パンツであって、
布製又はニット製のパンツ本体と、
前記パンツ本体の裏側に股間にあてがわれるように取り付けられた失禁パッドと、を具備し、
前記失禁パッドは、取り付け構造を介して取り外し可能に前記パンツ本体に取り付けられていて、
前記取り付け構造は、
前記パンツ本体の裏面の前側に設けられた前側係合部及び前記失禁パッドの先端部に設けられた、前記前側係合部に取り外し可能に取り付けられる前端係合部と、
前記パンツ本体の裏面の後側に設けられた後側係合部及び前記失禁パッドの後端部に設けられた、前記後側係合部に取り外し可能に取り付けられる後端係合部と、を備えていることを特徴とする失禁パンツ。
【請求項２】
前記前側係合部は前側ホック部であって、前記前端係合部は前端ホック部であり、
前記後側係合部は後側ホック部であって、前記後端係合部は後端ホック部であり、
前記前側ホック部は、鉤又は受け部を間隔をあけて横方向に複数個配置して構成され、前記前端ホック部は、前記前側ホック部の前記鉤又は前記受け部とスナップ係合する受け部又は鉤を間隔をあけて横方向に複数個配置して構成されていて、
前記後側ホック部は、鉤又は受け部を間隔をあけて横方向に複数個配置して構成され、前記後端ホック部は、前記後側ホック部の前記鉤又は前記受け部とスナップ係合する受け部又は鉤を間隔をあけて横方向に複数個配置して構成されている、ことを特徴とする請求項1記載の失禁パンツ。
【請求項３】
前記前側ホック部は、支持テープに鉤又は受け部を間隔をあけて横方向に複数個固定した前側ホック部材を前記パンツ本体の裏面に縫い付けて構成され、前記後側ホック部は、支持テープに鉤又は受け部を間隔をあけて横方向に複数個固定した後側ホック部材を前記パンツ本体の裏面に縫い付けて構成されている、ことを特徴とする請求項２記載の失禁パンツ。
【請求項４】
前記失禁パッドは、中間の吸水部と、この吸水部の先端部から延びる伸縮性先端取り付け部と、前記吸水部の後端部から延びる伸縮性後端取り付け部と、を有し、前記前端係合部は前記伸縮性先端取り付け部の先端部に設けられ、前記後端係合部は前記伸縮性後端取り付け部の後端部に設けられている、ことを特徴とする請求項１記載の失禁パンツ。
【請求項５】
前記失禁パッドは、中間の吸水部と、この吸水部の先端部から延びる伸縮性先端取り付け部と、前記吸水部の後端部から延びる伸縮性後端取り付け部と、を有し、前記前端ホック部は前記伸縮性先端取り付け部の先端部に設けられ、前記後端ホック部は前記伸縮性後端取り付け部の後端部に設けられている、ことを特徴とする請求項２又は３記載の失禁パンツ。
【請求項６】
パンツの裏面の前側に設けられた前側係合部と、前記パンツの裏面の後側に設けられた後側係合部と、を備えているパンツに取り付けるための失禁パッドであって、
パッド本体と、
前記パッド本体の前端部に設けられた、前記前側係合部に取り外し可能に取り付けられる前端係合部と、
前記パッド本体の後端部に設けられた、前記後側係合部に取り外し可能に取り付けられる後端係合部と、を備えている、ことを特徴とする失禁パッド。
【請求項７】
前記パッド本体は、中間の吸水部と、この吸水部の先端部から延びる伸縮性先端取り付け部と、前記吸水部の後端部から延びる伸縮性後端取り付け部と、有し、前記前端係合部は前記伸縮性先端取り付け部の先端部に設けられ、前記後端係合部は前記伸縮性後端取り付け部の後端部に設けられている、ことを特徴とする請求項６記載の失禁パッド。
【請求項８】
前記前側係合部は前側ホック部であり、鉤又は受け部を間隔をあけて横方向に複数個配置して構成され、
前記後側係合部は後側ホック部であり、鉤又は受け部を間隔をあけて横方向に複数個配置して構成されていて、
前記前端係合部は、前記前側ホック部に取り外し可能に取り付けられる前端ホック部であり、
前記後端係合部は、前記後側ホック部に取り外し可能に取り付けられる後端ホック部であり、
前記前端ホック部は、前記前側ホック部の前記鉤又は前記受け部とスナップ係合する受け部又は鉤を間隔をあけて横方向に複数個配置して構成され、
前記後端ホック部は、前記後側ホック部の前記鉤又は前記受け部とスナップ係合する受け部又は鉤を間隔をあけて横方向に複数個配置して構成されている、ことを特徴とする請求項６又は７記載の失禁パッド。
【考案の詳細な説明】
【技術分野】
【０００１】
本考案は、失禁に備えて特に高齢者が着用する失禁パンツ及びこのような失禁パンツに用いる失禁パッドに関する。
【背景技術】
【０００２】
失禁した場合に汚物が外に浸み出してしまわないように構成された失禁パンツとしては、パンツ本体に吸水性パッドを縫い付けるなどにより固定して取り付けたものが知られている（例えば特許文献１参照）。このような失禁パンツを着用しておけば、失禁した場合でも、汚物は吸水性パッドに受け止められるので着用者の行動が大幅に制限されることはないし、紙おむつなどと異なり着用に大きな抵抗感がない。
【先行技術文献】
【特許文献】
【０００３】
【特許文献１】実用新案登録第３０７３２７９号
【考案の概要】
【考案が解決しようとする課題】
【０００４】
しかしながら、このような失禁パンツを着用して例えば外出する場合には、外出先で失禁してもより快適に行動できるようにするためには、交換用の失禁パンツを持ち歩かなければならないし、使用済みの失禁パンツを収容できる備えも必要なので、荷物がかさばってしまう。また、若干の失禁があった場合も失禁パンツ全体を洗濯しなければならない。したがってこのような失禁パンツは使い勝手がよくない。
【０００５】
そこで本考案は、使い勝手のよい失禁パンツ及びこの失禁パンツに用いることができる失禁パッドの提供を目的とする。
【課題を解決するための手段】
【０００６】
この目的を達成するための本考案の失禁パンツは、失禁パンツであって、布製又はニット製のパンツ本体と、前記パンツ本体の裏側に股間にあてがわれるように取り付けられた失禁パッドと、を具備し、前記失禁パッドは、取り付け構造を介して取り外し可能に前記パンツ本体に取り付けられていて、前記取り付け構造は、前記パンツ本体の裏面の前側に設けられた前側係合部及び前記失禁パッドの先端部に設けられた、前記前側係合部に取り外し可能に取り付けられる（例えば、取り外し可能に係合して取り付けられる）前端係合部と、前記パンツ本体の裏面の後側に設けられた後側係合部及び前記失禁パッドの後端部に設けられた、前記後側係合部に取り外し可能に取り付けられる（例えば、取り外し可能に係合して取り付けられる）後端係合部と、を備えているものである。前側係合部及び前端係合部には面状ファスナーを用い、後側係合部及び後端係合部にも面状ファスナーを用いることができるが、前側係合部は前側ホック部であって、前端係合部は前端ホック部であり、後側係合部は後側ホック部であって、後端係合部は後端ホック部であり、前側ホック部は、鉤又は受け部を間隔をあけて横方向に複数個配置して構成され、前端ホック部は、前側ホック部の鉤又は受け部とスナップ係合する受け部又は鉤を間隔をあけて横方向に複数個配置して構成されていて、後側ホック部は、鉤又は受け部を間隔をあけて横方向に複数個配置して構成され、後端ホック部は、後側ホック部の鉤又は受け部とスナップ係合する受け部又は鉤を間隔をあけて横方向に複数個配置して構成されている、ものとすることができる。取り付け構造をホックにより構成することにより、糸くずなどが付着して取り付け構造が早期に劣化する、といったことを防止できる。
【０００７】
前側ホック部は、支持テープに鉤又は受け部を間隔をあけて横方向に複数個固定したホック部材をパンツ本体の裏面に縫い付けて構成することができ、後側ホック部は、支持テープに鉤又は受け部を間隔をあけて横方向に複数個固定した後側ホック部材をパンツ本体の裏面に縫い付けて構成することができる。支持テープは布又は伸縮性素材から構成できる。
【０００８】
失禁パッドは、中間の吸水部と、この吸水部の先端部から延びる伸縮性先端取り付け部と、吸水部の後端部から延びる伸縮性後端取り付け部と、を有するように構成できる。ここでは、前端係合部又は前端ホック部は伸縮性先端取り付け部の先端部に設けることができ、後端係合部又は後端ホック部は伸縮性後端取り付け部の後端部に設けることができる。失禁パッドの前後に高い伸縮性を持たせることにより失禁パッドを着用者の股間に効果的に密着させることができる。
【０００９】
また、この目的を達成するための本考案の失禁パッドは、パンツの裏面の前側に設けられた前側係合部と、前記パンツの裏面の後側に設けられた後側係合部と、を備えているパンツ（パンツ本体）に取り付けるための失禁パッドであって、パッド本体と、前記パッド本体の前端部に設けられた、前記前側係合部に取り外し可能に取り付けられる前端係合部と、前記パッド本体の後端部に設けられた、前記後側係合部に取り外し可能に取り付けられる後端係合部と、を備えている、ものである。パッド本体は、中間の吸水部と、この吸水部の先端部から延びる伸縮性先端取り付け部と、前記吸水部の後端部から延びる伸縮性後端取り付け部と、有し、前記前端係合部は前記伸縮性先端取り付け部の先端部に設けられ、前記後端係合部は前記伸縮性後端取り付け部の後端部に設けられている、ものとすることができる。
【００１０】
前側係合部及び前端係合部には面状ファスナーを用い、後側係合部及び後端係合部にも面状ファスナーを用いることができるが、前側係合部は前側ホック部であり、鉤又は受け部を間隔をあけて横方向に複数個配置して構成され、後側係合部は後側ホック部であり、鉤又は受け部を間隔をあけて横方向に複数個配置して構成されていて、前端係合部は、前側ホック部に取り外し可能に取り付けられる前端ホック部であり、後端係合部は、後側ホック部に取り外し可能に取り付けられる後端ホック部であり、前端ホック部は、前側ホック部の鉤又は受け部とスナップ係合する受け部又は鉤を間隔をあけて横方向に複数個配置して構成され、後端ホック部は、後側ホック部の鉤又は受け部とスナップ係合する受け部を間隔をあけて横方向に複数個配置して構成されている、ものとすることができる。
【考案の効果】
【００１１】
本考案の失禁パンツ又は失禁パッドを用いれば、交換用として例えば失禁パッドだけを持ち歩くことができ、交換したときのためにも、例えば失禁パッドだけを収容できるものを携帯することができる。
【図面の簡単な説明】
【００１２】
【図１】本考案に係る第１の男性用失禁パンツの正面図である。
【図２】第１の失禁パンツを裏返した場合の図である。
【図３】第１の失禁パンツを裏返して第１の失禁パッドを取り外した場合を示す図である。
【図４】第１の失禁パッドを示す図である。
【図５】第１の失禁パッドの断面図である。
【図６】本考案に係る第２の男性用失禁パンツの正面図である。
【図７】第２の失禁パンツを裏返した場合の図である。
【図８】第２の失禁パンツを裏返して第２の失禁パッドを取り外した場合を示す図である。
【図９】第２の失禁パッドを示す図である。
【図１０】第２の失禁パッドの断面図である。
【考案を実施するための形態】
【００１３】
まず、図１及び図２を参照して本考案に係る第１の男性用失禁パンツの全体構成を説明する。
【００１４】
第１の男性用失禁パンツ１は、伸縮性のない又は伸縮性の乏しい布製のパンツ本体３を有するトランクス型ものであり、パンツ本体３の上端にはゴム入りのウェストゴム部５が設けられ、パンツ本体３の前側中央には排尿用開口７が形成されている。
【００１５】
パンツ本体３の内側には、第１の男性用失禁パンツ１を着用したときに、着用者の股間にあてがわれるように失禁パッド９が取り付けられている。失禁パッド９は先端部１１及び後端部１３だけがパンツ本体３の裏面（内面）に取り付けられていて、宙吊り状態でパンツ本体３内に設けられている。
【００１６】
図３及び図４を参照して第１の男性用失禁パンツ１の失禁パッド９のパンツ本体３への取り付け構造を説明する。
【００１７】
パンツ本体３の裏面の前側には前側ホック部１５が設けられ、パンツ本体３の裏面の後側には後側ホック部１７が設けられている。前側ホック部１５はほぼ１６．５ｃｍの長さを有してウェストゴム部５の真下（ウェストゴム部５よりもほぼ１ｃｍ下側）に設けられ、後側ホック部１７はほぼ１６．５ｃｍの長さを有してウェストゴム部５よりもほぼ５ｃｍ下側に設けられている。前側ホック部１５は、布製等の細長い長方形状の支持テープ１９にホックの受け部２１を４つ長さ方向（横方向）に等間隔で固定した前側ホック部材２３をパンツ本体３の裏面の前側には縫い付けることにより構成され、後側ホック部１７は、布製等の細長い長方形状の支持テープ１９にホックの受け部２１を４つ長さ方向（横方向）に等間隔で固定した後側ホック部材２５をパンツ本体３の裏面の後側には縫い付けることにより構成されている。前側ホック部材２３と後側ホック部材２５とは同一の構成を有している。
【００１８】
失禁パッド９の先端部にはほぼ１６．５ｃｍの長さの前端ホック部２７が設けられ、失禁パッド９の後端部にはほぼ１６．５ｃｍの長さの後端ホック部２９が設けられている。前端ホック部２７は、布製等の細長い長方形状の支持テープ３１にホックの鉤部３３を４つ長さ方向（横方向）に等間隔で固定した前端ホック部材３５を失禁パッド９の先端部の裏面に縫い付けることにより構成され、後端ホック部２９は、布製等の細長い長方形状の支持テープ３１にホックの鉤部３３を４つ長さ方向（横方向）に等間隔で固定した後端ホック部材３７を失禁パッド９の後端部の裏面に縫い付けることにより構成されている。前端ホック部２７の鉤部３３は、前側ホック部１５の受け部２１と同一の間隔で配置され、対応する受け部２１と取り外し可能にスナップ係合している。また、後端ホック部２９の鉤部３３は、後側ホック部１７の受け部２１と同一の間隔で配置され、対応する受け部２１と取り外し可能にスナップ係合している。前端ホック部材３５と後端ホック部材３７とは同一の構成を有している。
【００１９】
図４及び図５を参照して失禁パッド９の構成を説明する。
【００２０】
失禁パッド９は、長さ方向中間に吸水部３９を備え、この吸水部３９の先端部から延びる伸縮性先端取り付け部４１と、吸水部３９の後端部から延びる伸縮性後端取り付け部４２と、を有していて、前端ホック部２７は伸縮性先端取り付け部４１の先端部に設けられ、後端ホック部２９は伸縮性後端取り付け部４２の後端部に設けられている。このような失禁パッド９を構成するには、伸縮性を有する素材の基本テープ４３の長さ方向中間の裏側に吸水性繊維４５を配置し、この吸水性繊維４５を覆うように例えば透水性の低い又は防水性素材のカバー４７を被せて基本テープ４３に縫い付ける。あるいは、吸水性繊維４５とカバー４７とを縫い付けておき、縫い付けた吸水性繊維４５及びカバー４７を基本テープ４３の長さ方向中間の裏側に縫い付ける。失禁パッド９はほぼ４６ｃｍの長さを有し、吸水部３９の長さＬはほぼ２９．５ｃｍとなっていて、吸水部３９の前端及び後端の幅Ｗ１はほぼ１４．５ｃｍである。吸水部３９は、幅が前端から中央まで漸次減少し、中央から後端まで漸次増大するように形成されていて、中央の幅Ｗ２がほぼ１２ｃｍとなっている。なお、失禁パッド９の幅方向両縁部はバイアステープを使用して始末を行ってもよい。
【００２１】
次に、図６及び図７を参照して本考案に係る第２の男性用失禁パンツの全体構成を説明する。
【００２２】
第２の男性用失禁パンツ４９は、伸縮性を有するニット製のパンツ本体５１を有するトランクス型ものであり、パンツ本体５１の上端にはウェストゴム部５３が設けられ、パンツ本体５１の前側中央には排尿用開口５５が形成されている。
【００２３】
パンツ本体５１の内側には、第２の男性用失禁パンツ４９を着用したときに、着用者の股間にあてがわれるように失禁パッド５７が取り付けられている。失禁パッド５７は先端部５９及び後端部６１だけがパンツ本体５１の裏面（内面）に取り付けられていて、パンツ本体５１の裏面に接触して沿うような状態でパンツ本体５１内に設けられている。
【００２４】
図８及び図９を参照して第２の男性用失禁パンツ４９の失禁パッド５７のパンツ本体５１への取り付け構造を説明する。
【００２５】
パンツ本体５１の裏面の前側には前側ホック部６３が設けられ、パンツ本体５１の裏面の後側には後側ホック部６５が設けられている。前側ホック部６３はほぼ１６．５ｃｍの長さを有してウェストゴム部５３よりもほぼ８．５ｃｍ下側に設けられ、後側ホック部６５はほぼ１６．５ｃｍの長さを有してウェストゴム部５３よりもほぼ１１．５ｃｍ下側に設けられている。前側ホック部６３は、布製等の細長い長方形状の支持テープ６７にホックの受け部６９を４つ長さ方向（横方向）に等間隔で固定した前側ホック部材７１をパンツ本体５１の裏面の前側に縫い付けることにより構成され、後側ホック部６５は、布製等の細長い長方形状の支持テープ６７にホックの受け部６９を４つ長さ方向（横方向）に等間隔で固定した後側ホック部材７３をパンツ本体５１の裏面の後側に縫い付けることにより構成されている。前側ホック部材７１と後側ホック部材７３とは同一の構成を有している。
【００２６】
失禁パッド５７の先端部にはほぼ１６．５ｃｍの長さの前端ホック部７５が設けられ、失禁パッド５７の後端部にはほぼ１６．５ｃｍの長さの後端ホック部７７が設けられている。前端ホック部７５は、布製等の細長い長方形状の支持テープ７９にホックの鉤部８１を４つ長さ方向（横方向）に等間隔で固定した前端ホック部材８３を失禁パッド５７の先端部の裏面に縫い付けることにより構成され、後端ホック部７７は、布製等の細長い長方形状の支持テープ７９にホックの鉤部８１を４つ長さ方向（横方向）に等間隔で固定した後端ホック部材８５を失禁パッド５７の後端部の裏面に縫い付けることにより構成されている。前端ホック部７５の鉤部８１は、前側ホック部６３の受け部６９と同一の間隔で配置され、対応する受け部６９と取り外し可能にスナップ係合している。また、後端ホック部７７の鉤部８１は、後側ホック部６５の受け部６９と同一の間隔で配置され、対応する受け部６９と取り外し可能にスナップ係合している。前端ホック部材８３と後端ホック部材８５とは同一の構成を有している。
【００２７】
図９及び図１０を参照して失禁パッド５７の構成を説明する。
【００２８】
失禁パッド５７は、若干の伸縮性を有する素材の基本テープ８７と、吸水性繊維８９と、例えば透水性の低い又は防水性素材のカバー９１と、を重ねて縫い付けたものである。失禁パッド５７はほぼ３８ｃｍの長さを有し、前端及び後端の幅Ｗ３はほぼ１６．５ｃｍである。失禁パッド５７は、幅が前端から中央まで漸次減少し、中央から後端まで漸次増大するように形成されていて、中央の幅Ｗ４がほぼ１２ｃｍとなっている。なお、失禁パッド５７の幅方向両縁部はバイアステープを使用して始末を行ってもよい。
【符号の説明】
【００２９】
１                第１の男性用失禁パンツ
３、５１          パンツ本体
９、５７          失禁パッド
１５、６３        前側ホック部
１７、６５        後側ホック部
２３、７５        前側ホック部材
２５、７７        後側ホック部材
４９              第２の男性用失禁パンツ
【図１】
0003227637.tif 000003
【図２】
0003227637.tif 000004
【図３】
0003227637.tif 000005
【図４】
0003227637.tif 000006
【図５】
0003227637.tif 000007
【図６】
0003227637.tif 000008
【図７】
0003227637.tif 000009
【図８】
0003227637.tif 000010
【図９】
0003227637.tif 000011
【図１０】
0003227637.tif 000012